【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
サービスプロバイダから、認証局リストを受信することと、前記認証局リストは、前記ＵＥおよび前記サービスプロバイダによって知られ、かつ前記ＵＥにおけるスマートカード上に記憶された認証情報に基づいて、完全性保護または暗号化のうちの少なくとも１つが行われる、
サーバのアドレスおよび受信報告構成を含むユーザサービス発見／アナウンスメントを受信することと、
前記サーバとの安全な接続をセットアップすることと、
前記受信された認証局リストを使用して前記サーバを認証することと、
前記アドレスおよび前記受信報告構成に基づいて前記安全な接続を通じて前記サーバに受信報告を送ることと、を備える、方法。
【請求項２】
前記認証局リストは、信頼される認証局の証明書を含む、請求項１に記載の方法。
【請求項３】
前記サーバの証明書を受信することと、
前記サーバを認証する際に前記サーバとの前記安全な接続をセットアップすることを決定することと、
をさらに備え、
前記認証することは、前記受信された証明書と前記認証局リストとの比較に基づいて、前記受信された証明書が信頼される認証局からのものであることを決定すること、を備える、
請求項１に記載の方法。
【請求項４】
前記認証情報は、前記ＵＥおよび前記サービスプロバイダによって知られている共有キーである、請求項１に記載の方法。
【請求項５】
前記共有キーは、マルチメディアブロードキャストマルチキャストサーバ（ＭＢＭＳ）要求キー（ＭＲＫ）、ＭＢＭＳユーザキー（ＭＵＫ）、または前記ＭＲＫまたは前記ＭＵＫのうちの１つから導出されたキーに基づく、請求項４に記載の方法。
【請求項６】
前記安全な接続は、ハイパーテキスト転送プロトコルセキュア（ＨＴＴＰＳ）を通じたものである、請求項１に記載の方法。
【請求項７】
前記ユーザサービス発見／アナウンスメントは、前記ＵＥおよびブロードキャストマルチキャストサービスセンタ（ＢＭ−ＳＣ）によって知られている認証情報に基づいて、完全性保護または暗号化のうちの少なくとも１つが行われる、請求項１に記載の方法。
【請求項８】
前記認証情報は、マルチメディアブロードキャストマルチキャストサーバ（ＭＢＭＳ）サービスキー（ＭＳＫ）に基づく、請求項７に記載の方法。
【請求項９】
ワイヤレス通信のための装置であって、
サービスプロバイダから、認証局リストを受信するための手段と、前記認証局リストは、前記装置および前記サービスプロバイダによって知られ、かつ前記装置におけるスマートカード上に記憶された認証情報に基づいて、完全性保護または暗号化のうちの少なくとも１つが行われる、
サーバのアドレスおよび受信報告構成を含むユーザサービス発見／アナウンスメントを受信するための手段と、
前記サーバとの安全な接続をセットアップするための手段と、
前記受信された認証局リストを使用して前記サーバを認証するための手段と、
前記アドレスおよび前記受信報告構成に基づいて前記安全な接続を通じて前記サーバに受信報告を送るための手段と、を備える、装置。
【請求項１０】
前記認証局リストは、信頼される認証局の証明書を含む、請求項９に記載の装置。
【請求項１１】
前記サーバの証明書を受信するための手段と、
前記サーバを認証する際に前記サーバとの前記安全な接続をセットアップすることを決定するための手段と、
をさらに備え、
前記認証するための手段は、前記受信された証明書と前記認証局リストとの比較に基づいて、前記受信された証明書が信頼される認証局からのものであることを決定することによって前記サーバを認証する、請求項９に記載の装置。
【請求項１２】
前記認証情報は、前記装置および前記サービスプロバイダによって知られている共有キーである、請求項９に記載の装置。
【請求項１３】
前記共有キーは、マルチメディアブロードキャストマルチキャストサーバ（ＭＢＭＳ）要求キー（ＭＲＫ）、ＭＢＭＳユーザキー（ＭＵＫ）、もしくは前記ＭＲＫまたは前記ＭＵＫのうちの１つから導出されたキーに基づく、請求項１２に記載の装置。
【請求項１４】
前記安全な接続は、ハイパーテキスト転送プロトコルセキュア（ＨＴＴＰＳ）を通じたものである、請求項９に記載の装置。
【請求項１５】
前記ユーザサービス発見／アナウンスメントは、前記装置およびブロードキャストマルチキャストサービスセンタ（ＢＭ−ＳＣ）によって知られている認証情報に基づいて、完全性保護または暗号化のうちの少なくとも１つが行われる、請求項９に記載の装置。
【請求項１６】
前記認証情報は、マルチメディアブロードキャストマルチキャストサーバ（ＭＢＭＳ）サービスキー（ＭＳＫ）に基づく、請求項１５に記載の装置。
【請求項１７】
ワイヤレス通信のための装置であって、
メモリと、
前記メモリに結合された少なくとも１つのプロセッサであって、
サービスプロバイダから、認証局リストを受信し、前記認証局リストは、前記装置および前記サービスプロバイダによって知られ、かつ前記装置におけるスマートカード上に記憶された認証情報に基づいて、完全性保護または暗号化のうちの少なくとも１つが行われる、
サーバのアドレスおよび受信報告構成を含むユーザサービス発見／アナウンスメントを受信し、
前記サーバとの安全な接続をセットアップし、
前記受信された認証局リストを使用して前記サーバを認証し、
前記アドレスおよび前記受信報告構成に基づいて前記安全な接続を通じて前記サーバに受信報告を送る、ように構成された少なくとも１つのプロセッサと、を備える、装置。
【請求項１８】
前記認証局リストは、信頼される認証局の証明書を含む、請求項１７に記載の装置。
【請求項１９】
前記少なくとも１つのプロセッサは、
前記サーバの証明書を受信し、
前記サーバを認証する際に、前記サーバとの前記安全な接続をセットアップすることを決定する、ようにさらに構成され、
前記少なくとも１つのプロセッサは、前記受信された証明書と前記認証局リストとの比較に基づいて、前記受信された証明書が信頼される認証局からのものであることを決定することによって認証する、請求項１７に記載の装置。
【請求項２０】
前記認証情報は、前記装置および前記サービスプロバイダによって知られている共有キーである、請求項１７に記載の装置。
【請求項２１】
前記共有キーは、マルチメディアブロードキャストマルチキャストサーバ（ＭＢＭＳ）要求キー（ＭＲＫ）、ＭＢＭＳユーザキー（ＭＵＫ）、もしくは前記ＭＲＫまたは前記ＭＵＫのうちの１つから導出されたキーに基づく、請求項２０に記載の装置。
【請求項２２】
前記安全な接続は、ハイパーテキスト転送プロトコルセキュア（ＨＴＴＰＳ）を通じたものである、請求項１７に記載の装置。
【請求項２３】
前記ユーザサービス発見／アナウンスメントは、前記装置およびブロードキャストマルチキャストサービスセンタ（ＢＭ−ＳＣ）によって知られている認証情報に基づいて、完全性保護または暗号化のうちの少なくとも１つが行われる、請求項１７に記載の装置。
【請求項２４】
前記認証情報は、マルチメディアブロードキャストマルチキャストサーバ（ＭＢＭＳ）サービスキー（ＭＳＫ）に基づく、請求項２３に記載の装置。
【請求項２５】
サービスプロバイダから、認証局リストを受信することと、前記認証局リストは、ユーザ機器（ＵＥ）および前記サービスプロバイダによって知られ、かつ前記ＵＥにおけるスマートカード上に記憶された認証情報に基づいて、完全性保護または暗号化のうちの少なくとも１つが行われる、
サーバのアドレスおよび受信報告構成を含むユーザサービス発見／アナウンスメントを受信することと、
前記サーバとの安全な接続をセットアップすることと、
前記受信された認証局リストを使用して前記サーバを認証することと、
前記アドレスおよび前記受信報告構成に基づいて前記安全な接続を通じて前記サーバに受信報告を送ることと、のためのワイヤレス通信のためのコンピュータ実行可能なコードを記憶したコンピュータ可読媒体。